(57)【要約】【課題】本実施形態の空気調和機の室内機によれば、フィルタ清掃装置の構造が簡略化され、既存の室内機の基本構造を大幅に改造することなく、室内機に組み込むことができ、フィルタ清掃装置を備えた小型で安価な空気調和機の室内機を提供する。【解決手段】本空気調和機の室内機は、エアフィルタ垂直部とフィルタ水平部からなるエアフィルタの外周面に沿って移動可能に配置されたフィルタ清掃装置と、これを移動する装置移動機構を備え、フィルタ清掃装置は、エアフィルタ垂直部の埃を除去する垂直部埃取り具とフィルタ水平部の埃を除去する水平部埃取り具とに２分割された回転式埃取り具と、回転式埃取り具で除去した埃を溜める埃溜め部を備える。【選択図】  図３
2008082671.tif 000002
【特許請求の範囲】
【請求項１】
室内空気の吸込口と吹出口を連通する送風路にエアフィルタ、熱交換器、送風機を配した空気調和機の室内機において、
前記エアフィルタの外周面に沿って移動可能に配置され、前記エアフィルタを清掃するフィルタ清掃装置と、このフィルタ清掃装置を移動する装置移動機構を備え、
前記エアフィルタはほぼＬ字形状に折曲され、垂直に延びるフィルタ垂直部と、水平に延びるフィルタ水平部からなり、
フィルタ清掃装置は、ほぼＬ字形状に折曲された装置基材と、この装置基材に設けられ、フィルタ垂直部の埃を除去する垂直部埃取り具とフィルタ水平部の埃を除去する水平部埃取り具とに２分割された回転式埃取り具と、前記装置基材に設けられ、前記回転式埃取り具で除去した埃を溜める埃溜め部を備えることを特徴とする空気調和機の室内機。
【請求項２】
前記回転式埃取り具を回転させる駆動モータは、装置基材に設けられることを特徴とする請求項１に記載の空気調和機の室内機。
【請求項３】
前記埃溜め部は、装置基材に分離可能に設けられることを特徴とする請求項１または２に記載の空気調和機の室内機。
【請求項４】
前記装置移動機構は、フィルタ清掃装置をエアフィルタの一側から他側に移動するための往路と、フィルタ清掃装置をエアフィルタの他側から一側に戻し、前記往路と異なる復路を備え、往路あるいは復路のいずれか一方をフィルタ清掃装置が移動するときに、回転式埃取り具がエアフィルタに当接して、エアフィルタの埃を除去し、他方をフィルタ清掃装置が移動するときに、回転式埃取り具がエアフィルタと離間して、エアフィルタの埃の除去を行わないことを特徴とする請求項１ないし３のいずれか１項に記載の空気調和機の室内機。
【請求項５】
前記エアフィルタのフィルタネットをこのフィルタネットの裏面から支持するネット支持部材を設けることを特徴とする請求項１ないし４のいずれか１項に記載の空気調和機の室内機。
【発明の詳細な説明】
【技術分野】
【０００１】
本発明は空気調和機の室内機に係り、特にフィルタ清掃装置の構造を改良した空気調和機の室内機に関する。
【背景技術】
【０００２】
空気調和機の室内機にエアフィルタを設け、被調和空気の埃の除去を行っているが、エアフィルタへの挨付着は、性能低下の要因、省エネの阻害要因となり、いずれの要因も送風性能を低下させ、空気調和機の空気調和能力を著しく悪化させる。
【０００３】
従来、フィルタ清掃装置を備えた空気調和機の室内機において、フィルタ清掃装置は、エアフィルタ部にノズルを当て、直接吸引排気する構造、あるいはブラシ等で掻き取り、その後一気に排気する構造（特許文献１）等があるが、いずれの構造もエアフィルタ接触部から室外排気までの経路は一つに繋がっており、その経路を構成することで、室内機が大きくなるという問題があり、スペースの効率が悪かった。また、フィルタ清掃装置を備えるために、そのスペースを確保するための特殊な構造を必要とし、そのエアフィルタ清掃構造を実現するために、それらのスペースの確保が必要となり、フィルタ清掃装置を備えない空気調和機の室内機に対しても、予め特殊な構造としておかざるを得ず、設計的にも標準化という点で大きな制約があった。
【特許文献１】特開２００２−３４０３９５号公報
【発明の開示】
【発明が解決しようとする課題】
【０００４】
本発明は上述した事情を考慮してなされたもので、フィルタ清掃装置の構造が簡略化され、既存の室内機の基本構造を大幅に改造することなく、室内機に組み込むことができ、フィルタ清掃装置を備えた小型で安価な空気調和機の室内機を提供することを目的とする。
【課題を解決するための手段】
【０００５】
上述した目的を達成するため、本発明に係る空気調和機の室内機によれば、室内空気の吸込口と吹出口を連通する送風路にエアフィルタ、熱交換器、送風機を配した空気調和機の室内機において、前記エアフィルタの外周面に沿って移動可能に配置され、前記エアフィルタを清掃するフィルタ清掃装置と、このフィルタ清掃装置を移動する装置移動機構を備え、前記エアフィルタはほぼＬ字形状に折曲され、垂直に延びるフィルタ垂直部と、水平に延びるフィルタ水平部からなり、フィルタ清掃装置は、ほぼＬ字形状に折曲された装置基材と、この装置基材に設けられ、フィルタ垂直部の埃を除去する垂直部埃取り具とフィルタ水平部の埃を除去する水平部埃取り具とに２分割された回転式埃取り具と、前記装置基材に設けられ、前記回転式埃取り具で除去した埃を溜める埃溜め部を備えることを特徴とする。
【発明の効果】
【０００６】
本発明に係る空気調和機の室内機によれば、フィルタ清掃装置の構造が簡略化され、既存の室内機の基本構造を大幅に改造することなく、室内機に組み込むことができ、フィルタ清掃装置を備えた小型で安価な空気調和機の室内機を提供することができる。
【発明を実施するための最良の形態】
【０００７】
図１は本発明の第１実施形態に係る空気調和機の室内機の縦断面図、図２は同空気調和機の室内機の一部を切欠して示す斜視図、図３は図２のフィルタ清掃装置の近傍を拡大して示す斜視図、図４はそのフィルタ清掃装置の一部を切欠して示す斜視図である。なお、図中符号を付さない部材については、図示しない。
【０００８】
図１及び図２に示すように、本発明に係る空気調和機の室内機１は、後筐体２と、この後筐体２の前面に装着される前面パネル３から筐体を構成する。
【０００９】
前面パネル３には、前面部に吸込口３ａ、上面部に吸込口３ｂを設け、さらに、下部にルーバ４を備える吹出口５を設けている。
【００１０】
後筐体２の両吸込口３ａ、３ｂと吹出口５を連通する送風路６には、ネット支持部材としての固定枠７によって支持されるエアフィルタ８、熱交換器９、送風機１０が配される。
【００１１】
エアフィルタ８は側面視でほぼＬ字形状に形成され、フィルタ垂直部８Ａとフィルタ水平部８Ｂからなる。フィルタ垂直部８Ａは前面部の吸込口３ａと熱交換器９の一部を構成する前面側熱交換器９ａ間に配され、前面部の吸込口３ａから吸い込まれる被調和空気に含まれる埃を除去する。フィルタ水平部８Ｂは上面部の吸込口３ｂと熱交換器９の一部を構成する背面側熱交換器９ｂ間に配され、上面部の吸込口３ｂから吸い込まれる被調和空気に含まれる埃を除去する。
【００１２】
エアフィルタ８は、フィルタ枠体８ａで構成する空間に、金属化あるいは金属蒸着がなされたフィルタネット８ｂが一体的に形成している。エアフィルタ８は、このフィルタネット８ｂの中央部近傍を図３に示すように、裏面から固定枠７によって支持される。
【００１３】
さらに、エアフィルタ８に対向して、フィルタ清掃装置１１が配されており、このフィルタ清掃装置１１は、エアフィルタ８に付着した挨を除去するもので、フィルタ垂直部８Ａの埃を除去する清掃装置垂直部１１Ａと、フィルタ水平部８Ｂの埃を除去する清掃装置水平部１１Ｂからなる。
【００１４】
図３及び図４に示すように、フィルタ清掃装置１１は、ほぼＬ字筐体形状の装置基材としての断面矩形状の筐体１２を備え、この筐体１２の垂直部１２ａには清掃装置垂直部１１Ａが設けられ、この筐体１２の水平部１２ｂには清掃装置水平部１１Ｂが設けられる。
【００１５】
筐体１２の垂直部１２ａには、回転式埃取り具としての垂直設置の回転式ブラシ１３ａが、筐体１２の垂直部１２ａの長手方向に沿って垂直方向に配置され、さらに、垂直設置の回転式ブラシ１３ａの一部が突出し、フィルタ垂直部８Ａに当接するための長孔状の垂直設置の回転式ブラシ用孔１２ａ１が設けられ、図５に示すように、垂直設置の回転式ブラシ１３ａ及び垂直設置の回転式ブラシ用孔１２ａ１に近接して、垂直設置の回転式ブラシ１３ａが除去した埃を集める垂直部埃溜め部１４ａが設けられる。この垂直部埃溜め部１４ａは筐体１２内に画成され、埃溜め分割部１２ｃの筐体１２の垂直部１２ａ側に設けられ、埃溜め分割部１２ｃは筐体１２の一部をなし、合成樹脂のスプリングバックを利用した係合部１２ｃ１などにより弾性係合により着脱自由に筐体１２に一体化される。
【００１６】
筐体１２には、垂直設置の回転式ブラシ軸と直交するように回転駆動モータ１５が設けられ、この回転駆動モータ１５のモータ軸に傘歯車１５ａが取り付けられる。
【００１７】
また、垂直設置の回転式ブラシ１３ａは軸受部材を介して筐体１２に軸装され、垂直設置の回転式ブラシ１３ａの一端には傘歯車１６ａが取り付けられ、他端には歯車１７が設けられる。傘歯車１６ａは傘歯車１５ａに歯合し、歯車１７はフィルタ枠体８ａの下部位に当接する。
【００１８】
一方、筐体１２の水平部１２ｂには、回転式埃取り具としての垂直設置の回転式ブラシ１３ｂが筐体１２の水平直部１２ｂの長手方向に沿って収容され、さらに、水平設置の回転式ブラシ１３ｂの一部が突出し、フィルタ水平部８Ｂに当接するための長孔状の水平設置の回転式ブラシ用孔１２ｂ１が設けられる。
【００１９】
図６に示すように、水平設置の回転式ブラシ１３ｂ及び水平設置の回転式ブラシ用孔１２ｂ１に近接して、水平設置の回転式ブラシ１３ｂが除去した埃を集める水平部埃溜め部１４ｂが設けられ、この水平部埃溜め部１４ｂは埃溜め分割部１２ｃの筐体１２の水平部１２ｂ側に設けられる。
【００２０】
また、水平設置の回転式ブラシ１３ｂは軸受部材を介して筐体１２に軸装され、水平設置の回転式ブラシ１３ｂの一端には傘歯車１６ｂが取り付けられ、他端には駆動歯車１３ｃが取り付けられ、傘歯車１６ｂは傘歯車１５ａに歯合する。
【００２１】
さらに、図３に示すように、フィルタ清掃装置１１をエアフィルタ８に沿って移動させる装置移動機構２１が設けられ、装置移動機構２１は、筐体１２を下端面の開口１２ｄから露出する滑車２２を介して支持するレールユニット２３と、筐体１２の水平端を支持する移動用レール２５と、駆動モータを兼ねる回転駆動モータ１５と、駆動軸を兼ね、端部に駆動歯車１３ｃを設けた水平設置の回転式ブラシ１３ｂのブラシ軸１３ｂ１から構成される。
【００２２】
レールユニット２３は、フィルタ清掃装置１１をエアフィルタ８の一側から他側に移動するための往路を形成する往路レール２４ａと、フィルタ清掃装置１１をエアフィルタ８の他側から一側に戻し、往路レール２４ａと近接、離間して配され、往路レール２４ａと異なる復路を形成する復路レール２４ｂを備える。
【００２３】
図７に示すように、復路レール２４ｂは往路レール２４ａよりも滑車２２の走行面（上端面）が高さｈだけ高くなっている。
【００２４】
往路レール２４ａ及び復路レール２４ｂの一端及び他端に近接して、一対のレール切換装置２６ａ、２６ｂが設けられ、レール切換装置２６ａ、２６ｂは待機レール２７ａ、２７ｂと、適宜フィルタ清掃装置１１の走行を切り換える切換レール２８ａ、２８ｂからなる。復路レール２４ｂの両端部に多少の勾配を持たせることにより、滑車２２の復路レール２４ｂへの切り換えを容易にするのが好ましく、また、切換レール２８ａ、２８ｂの切り換えは、ソレノイドなどを用いて行うのが好ましい。
【００２５】
図８に示すように、移動用レール２５には駆動歯車１３ｃが噛合する多数の歯車溝２５ａが設けられ、歯車溝２５ａは往路用歯車溝２５ａ１と、この往路用歯車溝２５ａ１よりも内側に連設され、上方に傾く傾斜面に設けられた復路用歯車溝２５ａ２からなる。
【００２６】
装置移動機構２１を上記構造にすることにより、往路レール２４ａと復路レール２４ｂを別個かつ往路レール２４ａより復路レール２４ｂを高さｈだけ高くし、移動用レール２５の往路用歯車溝２５ａ１より復路用歯車溝２５ａ２を高く傾けることにより、往路レール２４ａをフィルタ清掃装置１１が移動するときに、回転ブラシ１３がエアフィルタ８に当接して、エアフィルタ８の埃を除去し、復路レール２４ｂをフィルタ清掃装置１１が移動するときに、フィルタ清掃装置１１が復路レール２４ｂと往路レール２４ａの離間距離だけ前方に、復路レール２４ｂと往路レール２４ａの高さの差及び往路用歯車溝２５ａ１と復路用歯車溝２５ａ２の高さの差だけ上方に移動して、回転ブラシ１３がエアフィルタ８と離間して、エアフィルタ８の埃除去を行わない。
【００２７】
なお、図中符号２９はフィルタ清掃装置１１の待機位置ｐの後方に配された電気部品収納箱、符号３０は伸縮自在に巻回された配線である。
【００２８】
次にフィルタ清掃装置の働きについて説明する。
【００２９】
図１に示すように、前面部の吸込口３ａ及び上面部の吸込口３ｂを通り、後筐体２内に吸い込まれた室内空気は、通気路６に配されたエアフィルタ８で埃が除去され、熱交換器９で空気調和され、送風機１０を介して、吹出口５から吹き出される。
【００３０】
このような空気調和運転が長時間行われ、エアフィルタ８に埃が溜まると、埃検出センサがこれを検知して、あるいは所定運転時間を演算して、回転駆動モータ１５を回転させる。
【００３１】
図２及び図３に示すように、回転駆動モータ１５の回転により、傘歯車１５ａ、１６ｂ、ブラシ軸１３ｂ１を介して駆動歯車１３ｃを回転させ、移動用レール２５との噛合及び補助的駆動機能をなす歯車１７とフィルタ枠体８ａの当接により、待機レール２７ａ上で待機位置ｐに待機するフィルタ清掃装置１１を切換レール２８ａを介して往路レール２４ａに導く。回転駆動モータ１５の回転に伴う垂直設置の回転式ブラシ１３ａ、水平設置の回転式ブラシ１３ｂの回転により、垂直設置の回転式ブラシ１３ａ、水平設置の回転式ブラシ１３ｂが当接するフィルタ垂直部８Ａ及びフィルタ水平部８Ｂの埃の除去を行いながら、フィルタ清掃装置１１をエアフィルタ８に沿って、エアフィルタ８の一端から他端まで、往路レール２４ａ上を移動させ、エアフィルタ８全面の埃を除去する。
【００３２】
この埃除去動作において、垂直設置の回転式ブラシ１３ａで除去された埃は垂直部埃溜め部１４ａに溜まり、水平設置の回転式ブラシ１３ｂで除去された埃は水平部埃溜め部１４ｂに溜まる。また、フィルタネット８ｂの中央部近傍を裏面から固定枠８ａによって支持しているので、埃除去動作時、エアフィルタ８に撓みが生じず、回転式ブラシ１３とエアフィルタ８との接触が保たれ、確実に埃除去を行うことができる。
【００３３】
埃除去を終了したフィルタ清掃装置１１は、切換レール２８ｂを介して待機レール２７ｂに移動し、一旦待機レール２７ｂ上で待機した後、回転駆動モータ１５の逆回転により、傘歯車１５ａ、１６ｂ、ブラシ軸１３ｂ１を介して駆動歯車１３ｃを逆回転させ、移動用レール２５との噛合により、待機レール２７ｂ上で待機するフィルタ清掃装置１１を切換レール２８ｂを介して復路レール２４ｂに導く。
【００３４】
図７及び図８に示すように、フィルタ清掃装置１１が復路レール２４ｂに切り換り、これに伴い、駆動歯車１３ｃも往路用歯車溝２５ａ１から復路用歯車溝２５ａ２に切り換り、往路レール２４ａと復路レール２４ｂの高さの差ｈにより、フィルタ清掃装置１１は高さｈだけ持ち上がり、回転式ブラシ１３とエアフィルタ８が離間して、エアフィルタ８の埃除去を行わない状態になり、また、歯車１７とフィルタ枠体８ａも離間する。
【００３５】
この埃除去を行わない状態、すなわち回転式ブラシ１３とエアフィルタ８が離間状態を保ったまま、復路レール２４ｂに切り換り、フィルタ清掃装置１１は復路レール２４ｂ上を移動し、切換レール２８ａを介して待機レール２７ｂ上、待機位置ｐで次の除埃動作まで待機する。このように、復路では、回転式ブラシ１３とエアフィルタ８の接触がないので、フィルタ清掃装置１１の寿命が向上する。また、フィルタ清掃装置１１がエアフィルタ８の吸込み面の前方を避けて待機するので、通風抵抗にならず、通風効率を高めることができる。
【００３６】
上記のような埃除去動作を繰り返し、垂直部埃溜め部１４ａ及び水平部埃溜め部１４ｂに溜った埃は、前面パネル３を開放して、埃溜め分割部１２ｃを筐体１２から外し、垂直部埃溜め部１４ａ、水平部埃溜め部１４ｂの埃を機外に捨て、埃溜め分割部１２ｃを筐体１２に戻し、取り付ける。このように、垂直部埃溜め部１４ａ及び筐体１２の垂直部１２ａを設けた埃溜め分割部１２ｃを着脱自由にしたので、配線３０が取り付けられた筐体１２自体を着脱する必要がなく、埃捨てが容易になる。
【００３７】
上記のような埃除去動作により、エアフィルタに溜まった埃は除去され、自動的に清掃され、空気調和機の空気調和能力が維持される。
【００３８】
また、フィルタ清掃装置は、埃除去手段としての垂直及び水平に２分割されたブラシを備えるので、フィルタ清掃装置の構造を簡素化できる。
【００３９】
さらに、回転駆動モータは円筒内に収容されてユニット化されているので、フィルタ清掃装置が小形化でき、さらに、従来の室内機の基本構造を大幅に改造することなくフィルタ清掃装置を組み込むことができる。
【００４０】
本第１実施形態の空気調和機の室内機によれば、フィルタ清掃装置の構造が簡略化され、既存の室内機の基本構造を大幅に改造することなく、室内機に組み込むことができ、フィルタ清掃装置を備えた小型で安価な空気調和機の室内機が実現する。
【００４１】
また、本発明の第２実施形態に係る空気調和機の室内機について説明する。
【００４２】
本第２実施形態は、第１実施形態が埃溜め分割部及び回転駆動モータを筐体に設けるのに対して、筐体外にねじ回転モータを設け、さらに、室内機に自動的の埃排出を行う埃排出ユニットを設ける。
【００４３】
例えば、図９に示すように、本第２実施形態の空気調和機の室内機１はフィルタ清掃装置１１を備え、このフィルタ清掃装置１１はほぼＬ字状の筐体１２に設けた清掃装置垂直部１１Ａと清掃装置水平部１１Ｂからなる。
【００４４】
フィルタ清掃装置１１は装置移動機構２１によってエアフィルタ８に沿って往復移動され、装置移動機構２１は後筐体２にその長手方向に沿って取り付けられ、ねじ駆動モータ２１ａによって回転され、一端を軸受部材２１ｂで支持されるボールねじ２１ｃと、ボールねじ２１ｃに螺合し、筐体１２の垂直部１２ａに取り付けられらねじ部材２１ｄと、後筐体２にその長手方向に沿って取り付けた案内溝部材２１ｅからなる。
【００４５】
また、後筐体２の一端側には、埃排出ユニット４１が配され、この埃排出ユニット４１は排気ファンとして用いる換気ファン４１ａと、この換気ファン４１ａのファンケース４１ｂに連設され、埃吸込口４１ｃを備えたボックス状の埃吸込流路４１ｄと、換気ファン４１ａに取り付けられ、室外に開口する排出ダクトとして用いる排気ダクト４１ｅからなる。
【００４６】
図１０及び図１１に示すように、清掃装置垂直部１１Ａは筐体１２の垂直部１２ａを備え、この筐体１２の垂直部１２ａにブラシ用開口１２ａ１及び埃排出口１２ａ２を設け、また、埃溜め部１２ａ３となる空間を設け、さらに、筐体１２の垂直部１２ａには長手方向に沿って、垂直設置の回転式ブラシ１３ａが回転可能に軸受部材４２とモータボックス４３に収容された回転モータ４４間に軸支されている。
【００４７】
また、図１０及び図１２に示すように、清掃装置垂直部１１Ａと同様に、清掃装置水平部１１Ｂは筐体１２の水平部１２ｂを備え、この筐体１２の水平部１２ｂにブラシ用開口１２ｂ１を設け、さらに、埃溜め部１２ｂ３となる空間を設けて、また、筐体１２の水平部１２ｂには、埃溜め部１２ａ３に連通する埃溜め部１２ｂ３となる空間を設けるようにして、長手方向に沿って、水平設置の回転式ブラシ１３ｂが、回転可能に軸受部材４５と回転モータ４６間に軸支される。
【００４８】
さらに、水平設置の回転式ブラシ１３ｂ軸の延長線上の筐体１２の水平部１２ｂの一端面には、案内溝部材４７に摺動自由に係合する摺動子４８が取り付けられる。
【００４９】
他の構成は図２に示す空気調和機の室内機と異ならないので、同一符号を付して説明は省略する。
【００５０】
次に第２実施形態におけるフィルタ清掃装置の動作について説明する。
【００５１】
埃除去動作が開始されると、待機位置ｐ近傍にある回転モータ４４を駆動して垂直設置の回転式ブラシ１３ａを回転させ、図１１に示すように、回転する垂直設置の回転式ブラシ１３ａによりフィルタ垂直部８Ａの埃の除去を開始し、また、回転モータ４６を回転させ、図１２に示すように、回転する水平設置の回転式ブラシ１３ｂによりフィルタ水平部８Ｂの埃の除去を開始する。これと同時に、ねじ駆動モータ２１ａを回転させてボールねじ２１ｃを回転させ、ねじ部材２１ｄを介して、フィルタ清掃装置１１を埃排出ユニット４１方向に水平移動し、エアフィルタ８の清掃を行う。
【００５２】
垂直設置の回転式ブラシ１３ａ及び水平設置の回転式ブラシ１３ｂによりフィルタ垂直部８Ａ及びフィルタ水平部８Ｂから除去された埃は、一時的に埃溜め部１４ａ及び埃溜め部１４ｂに溜められる。
【００５３】
図１２に示すように、フィルタ清掃装置１１が水平移動を続行して、フィルタ清掃装置１１が埃排出ユニット４１まで達してこの埃排出ユニット４１に当接すると、埃排出口１２ａ２と埃吸込口４１ｃが密着連通し、埃溜め部１４ａ、１４ｂに溜まった埃は、埃吸込流路４１ｄを介して排気ファン４１ａに吸い込まれ、さらに、排気ダクト４１ｅを介して室外に排出される。一連の埃除去動作が完了すると、フィルタ清掃装置１１は待機位置ｐに戻り、次の埃除去動作を待つ。
【００５４】
上記のような埃除去運転により、エアフィルタ８に溜まった埃は除去され、空気調和機の空気調和能力が維持される。
【００５５】
また、フィルタ清掃装置は別個に設ける埃排出ユニットからなるので、フィルタ清掃装置と埃排出ユニットを常時連通する必要がなく、両者を連結していたダクトの収納スペースが必要なくなり簡単な構造で、かつ室内機自体のコンパクト化が可能となり、さらに、空気調和機の室内機を、エアフィルタ清掃機能を設けない空気調和機の室内機との共用化を図ることができる。
【００５６】
さらに、換気ファンの排気モード切り替により、フィルタ清掃装置に溜まった埃を効率的に排出することができる。
【００５７】
また、フィルタ清掃装置は、埃除去手段としての垂直及び水平に２分割されたブラシを備えるので、フィルタ清掃装置の構造を簡素化できる。
【００５８】
本第２実施形態の空気調和機の室内機によれば、フィルタ清掃装置の構造が簡略化され、既存の室内機の基本構造を大幅に改造することなく、室内機に組み込むことができ、フィルタ清掃装置を備えた小型で安価な空気調和機の室内機が実現する。
【図面の簡単な説明】
【００５９】
【図１】本発明の第１実施形態に係る空気調和機の室内機の縦断面図。
【図２】本発明の第１実施形態に係る空気調和機の室内機の一部を切欠して示す斜視図。
【図３】本発明の第１実施形態に係る空気調和機の室内機に用いるフィルタ清掃装置の近傍を拡大して示す斜視図。
【図４】本発明の第１実施形態に係る空気調和機の室内機に用いるフィルタ清掃装置の一部を切欠して示す斜視図。
【図５】図４のＡ−Ａ線に沿う断面図。
【図６】図４のＢ−Ｂ線に沿う断面図。
【図７】本発明の第１実施形態に係る空気調和機の室内機に用いるフィルタ清掃装置の埃除去不実施状態を示す概念図。
【図８】本発明の第１実施形態に係る空気調和機の室内機に用いる移動用レールの斜視図。
【図９】本発明の第２実施形態に係る空気調和機の室内機の一部を切欠して示す斜視図。
【図１０】本発明の第２実施形態に係る空気調和機の室内機に用いるフィルタ清掃装置の一部を切欠して示す斜視図。
【図１１】図１０のＣ−Ｃ線に沿う断面図。
【図１２】図１０のＤ−Ｄ線に沿う断面図。
【図１３】本発明の第２実施形態に係る空気調和機の室内機に用いるエアフィルタ清掃装置の動作時の斜視図。
【符号の説明】
【００６０】
１…空気調和機の室内機、２…後筐体、３…前面パネル、３ａ、３ｂ…吸込口、４…ルーバ、５…吹出口、６…送風路、７…固定枠、８…エアフィルタ、８ａ…フィルタ枠体、８ｂ…フィルタネット、８Ａ…フィルタ垂直部、８Ｂ…フィルタ水平部、９…熱交換器、９ａ…前面側熱交換器、９ｂ…背面側熱交換器、１０…送風機、１１…フィルタ清掃装置、１１Ａ…清掃装置垂直部、１１Ｂ…清掃装置水平部、１２…筐体、１２ａ…筐体の垂直部、１２ａ１…垂直設置の回転式ブラシ用孔、１２ｂ…筐体の水平部、１２ｂ１…水平設置の回転式ブラシ用孔、１２ｃ…埃溜め分割部、１２ｄ…開口、１３…回転式ブラシ、１３ａ…垂直設置の回転式ブラシ、１３ｂ…水平設置の回転式ブラシ、１３ｂ１…ブラシ軸、１３ｃ…駆動歯車、１４ａ…垂直部埃溜め部、１４ｂ…水平部埃溜め部、１５…回転駆動モータ、１５ａ…傘歯車、１６ａ…傘歯車、１７…歯車、２１…装置移動機構、２２…滑車、２３…レールユニット、２４ａ…往路レール、２４ｂ…復路レール、２５…移動用レール、２５ａ…歯車溝、２５ａ１…往路用歯車溝、２５ａ２…往路用歯車溝、２６ａ、２６ｂ…レール切換装置、２７ａ、２７ｂ…待機レール、２８ａ、２８ｂ…切換レール、２９…電気部品収納箱、３０…配線。
【図１】
2008082671.tif 000003
【図２】
2008082671.tif 000004
【図３】
2008082671.tif 000005
【図４】
2008082671.tif 000006
【図５】
2008082671.tif 000007
【図６】
2008082671.tif 000008
【図７】
2008082671.tif 000009
【図８】
2008082671.tif 000010
【図９】
2008082671.tif 000011
【図１０】
2008082671.tif 000012
【図１１】
2008082671.tif 000013
【図１２】
2008082671.tif 000014
【図１３】
2008082671.tif 000015